(57)【特許請求の範囲】
【請求項１】
手首部の動脈を圧迫するため、所定量の流体が供給される圧迫用流体袋と、前記圧迫用流体袋を前記手首部に装着するための装着手段とを備える、手首式血圧計用カフであって、
前記圧迫用流体袋は、
第１膨張袋と、前記第１膨張袋と前記手首部との間に位置し、前記第１膨張袋を構成する材質よりも伸縮性の高い材質からなる第２膨張袋とを有し、
手首部軸方向に沿った断面において、前記第２膨張袋の幅が、前記第１膨張袋の幅よりも小さく設けられ、
手首部周方向に沿った断面において、前記第２膨張袋の少なくとも一方の側部が、前記第１膨張袋の側部よりも長く設けられる、手首式血圧計用カフ。
【請求項２】
手首部軸方向に沿った断面において、前記第２膨張袋からはみ出す前記第１膨張袋に、前記第２膨張袋の両側を覆う側壁が設けられる、請求項１に記載の手首式血圧計用カフ。
【請求項３】
前記側壁は、内部に空気が導入される膨張袋からなる、請求項２に記載の手首式血圧計用カフ。
【請求項４】
前記膨張袋は、内部空間が前記第１膨張袋と一体となるように設けられる、請求項３に記載の手首式血圧計用カフ。
【発明の詳細な説明】
【０００１】
【発明の属する技術分野】
この発明は、生体に装着して血圧を測定する血圧計に使用する血圧計用カフに関し、より特定的には、手首部において血圧を測定する手首式血圧計に用いられる手首式血圧計用カフの構造に関する。
【０００２】
【従来の技術】
近年、血圧の自己管理がますます重要視され、家庭用血圧計として上腕部よりも手軽に測定できる手首式血圧計が家庭において広く用いられるようになってきている。従来の、手首式血圧計１００の概略構成について、図２７および図２８を参照して説明する。なお、図２７は手首式血圧計１００の外観を示す全体斜視図であり、図２８は手首式血圧計１００の内部構成を示すブロック図である。両図を参照して、手首式血圧計１００は、血圧測定の制御装置が内蔵された本体部１０１と、その本体部１０１が装着される手首式血圧計用カフ１０２とを備える。
【０００３】
本体部１０１の外表面には、表示器１０３、および測定開始スイッチ１０４が設けられ、内部には加圧センサ１０５、加圧ポンプ１０６、排気弁１０７、およびこれらの機器を制御するＣＰＵ１０８が設けられている。
【０００４】
手首式血圧計用カフ１０２は、加圧ポンプ１０６から送り出される空気が溜められるとともに、手首部の動脈を圧迫するために用いられる空気袋１０９、この空気袋１０９をその内面側に設け、手首部に装着するための帯状のバンド１１０、およびバンド１１０を手首部に巻回して固定するための面ファスナ１１１を備えている。
【０００５】
次に、上記構成からなる手首式血圧計１００を用いた血圧の測定について、図２９から図３１を参照して説明する。なお、図２９から図３１においては、便宜上、手首式血圧計用カフ１０２のみを図示し、本体部１０１の図示は省略する。図２９は、手首式血圧計用カフ１０２の手首部への装着前の長手方向に沿った断面構造の概略を示すものであり、空気袋１０９内へは、まだ空気は供給されていない。図３０は、手首部１へ手首式血圧計用カフ１０２を装着した状態を示す収縮時の断面図である。図３１は、手首部１へ手首式血圧計用カフ１０２を装着した状態を示す膨張時の断面図である。
【０００６】
図２９に示す手首式血圧計用カフ１０２を、図３０に示すように、バンド１１０を用いて、空気袋１０９が手首部１の橈骨動脈５、および尺骨動脈７に対向する位置に固定する。ここで、手首部１の生体構造の主なものとしては、図３０に示すように、親指側に位置する橈骨２、小指側に位置する尺骨３、橈骨２の近傍に位置する深指屈腱４ａ、長掌屈腱４ｂ、および橈骨動脈５、尺骨３の近傍に位置する浅指屈腱６ａ、尺骨側手根腱６ｂ、および尺骨動脈７等が挙げられる。
【０００７】
次に、手首部１へ手首式血圧計用カフ１０２の装着が完了した状態で、図３１に示すように、加圧ポンプ１０６から空気袋１０９に空気を供給することで、手首部１の橈骨動脈５または尺骨動脈７（またはその両方）が圧迫された後、排気弁１０７の開放により空気袋１０９内の空気を排気する過程で血圧センサ１０５により空気袋１０９内の圧力が測定され、その結果血圧測定データが得られる。
【０００８】
【発明が解決しようとする課題】
ここで、上記手首式血圧計は、上腕式血圧計と比較して、血圧測定の精度が劣ると言われている。この原因としては、手首部の動脈の圧迫力不足が挙げられる。動脈の圧迫力不足とは、被圧迫血管内壁の圧力（以下、血管内壁圧力と称する）が空気袋内圧と比較して小さいことを言う。血管内壁圧力と空気袋内圧とが等しければ、空気袋内圧の測定により正確な血管内壁圧力が得られ、その結果、正確な血圧測定を行なうことができる。
【０００９】
しかし、圧迫力不足が生じた場合、血管内壁圧力よりも空気袋内圧が高くなるため空気袋内圧がそのまま血圧として測定される結果、血圧が高く測定されてしまう。この圧迫力不足が生じる原因としては、空気袋による手首部の圧迫幅（以下、カフ幅と称する）の不足が考えられる。
【００１０】
上腕式血圧計のカフ幅は、ＡＨＡ（American  Heart Association）においてガイドラインが定められているが、手首式血圧計のカフ幅には定められたガイドラインは存在しない。そのため、カフ幅は上腕式血圧計の場合の規定方法である「適応腕周の直径の一定倍率の幅」をそのまま手首に適用している。現状の手首式血圧計のカフ幅は約５０ｍｍ〜６０ｍｍに設定されている。しかし、この規定方法に基き手首式血圧計のカフ幅を設定しても圧迫力不足が生じている。この原因は、手首部には、上腕部には存在しない筋、腱が多数存在し、また骨も比較的表皮に近い位置に存在するため、空気袋による動脈の圧迫が阻害されていることにあると考えられる。
【００１１】
図３１の断面図に示すように、空気袋１０９内には充分な空気が供給され、空気袋１０９が手首部１側に向かって膨張している。しかし、橈骨２、および長掌屈腱４ｂの存在により空気袋１０９の膨張が阻害され、橈骨動脈５が充分に圧迫されず、また浅指屈腱６ａ、および尺骨側手根腱６ｂの存在により空気袋１０９の膨張が阻害され、尺骨動脈７が充分に圧迫されていなことがわかる。
【００１２】
本来、空気袋１０９による動脈の圧迫が何ら阻害されていない場合には、図３２の模式図に示すように、空気袋１０９が充分に膨張することにより、所定のカフ幅Ｗ１を得ることができるが、橈骨２、および長掌屈腱４ｂ等が存在する場合、図３３の模式図に示すように、空気袋１０９の膨張が橈骨２、および長掌屈腱４ｂ等の存在により阻害される結果、カフ幅Ｗ２が不充分となる。
【００１３】
したがって、本発明の目的は、手首部に存在する筋、腱、および骨の影響を受けることなく、手首部に位置する動脈を確実に圧迫することのできる手首式血圧計用カフを提供することにある。
【００１４】
【課題を解決するための手段】
この発明に基いた手首式血圧計用カフにおいては、手首部の動脈を圧迫するため、所定量の流体が供給される圧迫用流体袋と、上記圧迫用流体袋を上記手首部に装着するための装着手段とを備える、手首式血圧計用カフであって、上記圧迫用流体袋は、第１膨張袋と、上記第１膨張袋と上記手首部との間に位置し、上記第１膨張袋を構成する材質よりも伸縮性の高い材質からなる第２膨張袋とを有する。
【００１５】
この構成により、流体が圧迫用流体袋に供給された場合、第１膨張袋、および第２膨張袋はともに流体の供給により膨張する。第２膨張袋が第１膨張袋を構成する材質よりも伸縮性の高い材質から構成されることで、第１膨張袋の膨張により、手首部側への所定の圧力が確保される。また、手首部に密着した状態で第２膨張袋が膨張し、第２膨張袋が腱または骨等に柔軟に回り込むことにより、腱と腱との間、腱と骨との間、骨と骨との間等に第２膨張袋が潜り込むことが可能になる。
【００１６】
これにより、手首部の筋、腱や骨の存在に関係なく、第１膨張袋からの圧力が、第２膨張袋が接する手首部に加わることになるため、手首部の動脈を充分圧迫することが可能になる。その結果、動脈の圧迫力不足が解消され、手首式血圧計においても、精度良く血圧を測定することが可能になる。
【００１７】
また、上記発明において好ましい形態としては、上記第１膨張袋は、上記流体が供給されることにより、主に上記手首部側に向かって膨張し、上記第２膨張袋は、上記流体が供給されることにより、主に上記手首部の腱または骨に回り込むように膨張する。また、さらに好ましい形態としては、上記第２膨張袋の材質は、薄膜状シリコンゴム、またはラテックスからなる。
【００１８】
この特徴を備えることにより、上述したように、第１膨張袋の膨張により、手首部側への所定の圧力が確保され、また手首部に密着した状態で第２膨張袋が膨張し、第２膨張袋が筋、腱または骨等に柔軟に回り込むことを確実に実現させることが可能になる。
【００１９】
また、上記発明のさらに好ましい形態としては、上記第２膨張袋の上記手首部側の形状を、凹凸形状としたことを特徴とする。このように、凹凸形状を採用することにより、高い伸縮性を得ることが可能になり、第２膨張袋の膨張時における筋、腱または骨等への回り込みを、確実に実現させることが可能になる。
【００２０】
また、上記発明のさらに好ましい形態としては、手首部軸方向に沿った断面において、上記第２膨張袋の幅が、上記第１膨張袋の幅よりも小さく設けられる。これにより、第１膨張袋および第２膨張袋に加圧空気が導入された場合でも、第１膨張袋の両端部分において、第２膨張袋の両側部を覆うように膨張するため、第２膨張袋の側方へのはみ出しを、制限することが可能になる。その結果、第２膨張袋を生体側である手首部側にに向けて膨張させることができ、第１膨張袋からの加圧力を、第２膨張袋を介して、充分に手首部に伝えることが可能になる。
【００２１】
また上記構成において好ましくは、上記第２膨張袋からはみ出す上記第１膨張袋に、上記第２膨張袋の両側を覆う側壁が設けられる。好ましくは、上記側壁は、内部に空気が導入される膨張袋からなる。好ましくは、上記膨張袋は、内部空間が上記第１膨張袋と一体となるように設けられる。
【００２２】
このように、第２膨張袋からはみだす第１膨張袋において、第２膨張袋の側部の位置に、第２膨張袋の側方へのはみ出しを積極的に制限する、はみ出し防止側壁を設けることで、第２膨張袋の側方へのはみ出しを確実に制限することが可能になる。その結果、第２膨張袋を生体側に向けて膨張させることができ、第１膨張袋からの加圧力を、第２膨張袋を介して、充分に生体に伝えることが可能になる。
【００２３】
【発明の実施の形態】
（実施の形態１）
以下、この発明に基づいた手首式血圧計用カフの実施の形態１について、図を参照しながら説明する。なお、本実施の形態における手首式血圧計用カフが用いられる手首式血圧計の基本的構造は、図１２を用いて説明した従来の手首式血圧計１００と同じであるため、その詳細な説明は省略し、本発明の特徴である手首式血圧計用カフの構造についてのみ、以下に説明する。
【００２４】
まず、この発明に基づいた手首式血圧計用カフの構成、および手首の圧迫原理について図１〜図４を参照して説明する。なお、図１は本実施の形態における手首式血圧計用カフ１０の手首部への装着前の長手方向に沿った断面構造の概略を示す図であり、図２は手首部１へ手首式血圧計用カフ１０を装着した状態を示す断面図であり、図３は手首式血圧計用カフ１０により手首部１を圧迫している状態を示す断面図であり、図４は手首式血圧計用カフ１０を用いた手首部の圧迫原理を示す模式図である。
【００２５】
（構成）
まず、図１を参照して、手首式血圧計用カフの構成について説明する。この手首式血圧計用カフ１０は、加圧ポンプから送り出される空気が溜められるとともに、手首部の動脈を圧迫するために用いられる、第１膨張袋としての第１空気袋１４Ａと、第１空気袋１４Ａと手首部との間に位置し、第１空気袋１４Ａよりも伸縮性の高い材質からなる第２膨張袋としての第２空気袋１６Ａとを備えている。また、この第１空気袋１４Ａと、第２空気袋１６Ａとを手首部に装着するための装着手段としての帯状のバンド１１、およびこのバンド１１を手首部に巻回して固定するための面ファスナ１５を備えている。なお、図１に示す状態においては、まだ各空気袋内へは、空気は供給されていない。
【００２６】
（手首の圧迫原理）
次に、手首式血圧計用カフ１０を用いた手首部の圧迫原理について図２〜図４を参照して説明する。図２を参照して、バンド１１を用いて、第１空気袋１４Ａ、および第２空気袋１６Ａが、手首部１の橈骨動脈５、および尺骨動脈７に対向するに固定される。なお、手首部１の生体構造は、図１５で説明したものと同一であるため、同一の参照番号を付して、詳細な説明は省略する。
【００２７】
次に、図３を参照して、第１空気袋１４Ａは、空気が供給されることにより、主に手首部１側に向かって膨張し、第２空気袋１６Ａは、空気が供給されることにより、主に手首部１の腱または骨に回り込むように膨張する。
【００２８】
より詳細に説明すると、第２空気袋１６Ａの膨張により第２空気袋１６Ａは橈骨２、および長掌屈腱４ｂに回り込む。これにより、橈骨２と長掌屈腱４ｂとの間に第２空気袋１６Ａが潜り込み、橈骨動脈５が第２空気袋１６Ａにより充分に圧迫される。また、第２空気袋１６Ａの膨張により第２空気袋１６Ａは浅指屈腱６ａ、および尺骨側手根腱６ｂに回り込む。これにより、浅指屈腱６ａと尺骨側手根腱６ｂとの間に第２空気袋１６Ａが潜り込み、尺骨動脈７が第２空気袋１６Ａにより充分に圧迫される。
【００２９】
図４に示すように、空気が第１空気袋１４Ａ、および第２空気袋１６Ａに供給された場合、第１空気袋１４Ａ、および第２空気袋１６Ａはともに流体の供給により膨張するが、第２空気袋１６Ａが第１空気袋１４Ａを構成する材質よりも伸縮性の高い材質から構成されることで、第１空気袋１４Ａの膨張により、手首部１側への所定の圧力が確保される。また、手首部１に密着した状態で第２空気袋１６Ａが膨張し、第２空気袋１６Ａが腱または骨等に柔軟に回り込むことにより、橈骨２と長掌屈腱４ｂとの間に第２空気袋１６Ａが潜り込むことが可能になり、手首部１の橈骨２、長掌屈腱４ｂの存在に関係なく、第１空気袋１４Ａからの圧力が、第２空気袋１６Ａが接する手首部１に加わるからである。浅指屈腱６ａと尺骨側手根腱６ｂとの間における第２空気袋１６Ａが潜り込みも同様である。その結果、充分なカフ幅Ｗ３を得ることが可能となる。
【００３０】
なお、腱、および骨への空気袋の回り込みの観点からすれば、空気袋を伸縮性に富んだ材料のみで構成することが考えられる。しかし、伸縮性に富んだ材料のみからなる空気袋を採用した場合、手首部を圧迫する方向に充分な圧力が加わらずに、横方向に大きく膨張することになるため、手首部を充分に圧迫することはできない。したがって、上述したように、第１膨張袋としての第１空気袋１４Ａと、第１空気袋１４Ａよりも伸縮性の高い材質からなる第２膨張袋としての第２空気袋１６Ａとの組合わせが重要となる。
【００３１】
（実施例１）
次に、上記圧迫原理に基く具体的な実施例１の構造について、図５、および図６を参照して説明する。なお、図５は手首式血圧計用カフ１０のうち空気袋のみを図示したものであり、空気が供給される前の収縮状態を示し、図６は空気が供給された膨張状態を示している。なお、図５および図６は、手首式血圧計用カフ１０を手首周方向に装着した場合の、手首軸方向に沿った断面を示している。
【００３２】
まず、図５を参照して、第１膨張袋としての第１空気袋１４Ｂと、第１空気袋１４Ｂと手首部との間に位置し、第１空気袋１４Ｂよりも伸縮性の高い材質からなる第２膨張袋としての第２空気袋１６Ｂを備えている。第１空気袋１４Ｂの具体的な材質としては、塩化ビニール（膜厚さ約０．３ｍｍ程度）が用いられる。また、第１空気袋１４Ｂに用いられる他の材質としては、ＥＶＡ（酢酸ビニール；膜厚さ約０．３ｍｍ程度）や、ウレタン（膜厚さ約０．３ｍｍ程度）等が挙げられる。
【００３３】
また、手首部側への膨張を促がすために、側壁１４ａ，１４ｂにより襠が形成されている（アコーデオン構造）。第１空気袋１４Ｂの収縮時の厚さは約１．２ｍｍ程度である。
【００３４】
第２空気袋１６Ｂの具体的な材質としては、薄膜状シリコンゴム、ラテックス膜等が用いられ、膜厚さは約０．３ｍｍ程度である。第２空気袋１６Ｂに用いられる他の材質としては、塩化ビニール（膜厚さ約０．３ｍｍよりも薄い）、第１空気袋１４Ｂより軟質性の塩化ビニール等が挙げられる。
【００３５】
第１空気袋１４Ｂ、および第２空気袋１６Ｂにはそれぞれ、空気導入管１４ｃ，１６ｃが設けられており、第１空気袋１４Ｂ、および第２空気袋１６Ｂ内の空気圧を同じにするために、共通の空気導入チューブ１７が連結されている。
【００３６】
上記構成において、第１空気袋１４Ｂ、および第２空気袋１６Ｂに空気を導入した場合、図６に示すように、第１空気袋１４Ｂには、襠が形成されていることから、主に手首部を圧迫する方向に膨張する。一方、第２空気袋１６Ｂは、あらゆる方向に膨張する。その結果、上述したように、手首部の動脈を充分圧迫することか可能となる。
【００３７】
（実施例２）
次に、上記圧迫原理に基く具体的な実施例２の構造について、図７、および図８を参照して説明する。なお、図７は空気袋のみを図示したものであり、空気が供給される前の状態を示し、図８は空気が供給された状態を示している。
【００３８】
まず、図７を参照して、第１膨張袋としての第１空気袋１４Ｃと、第１空気袋１４Ｃと手首部との間に位置し、第１空気袋１４Ｃよりも伸縮性の高い材質からなる第２膨張袋としての第２空気袋１６Ｃを備えている。第１空気袋１４Ｂの具体的な材質、および膜厚さは上記実施例１と同様である。また、その構造も、手首部側への膨張を促がすために側壁１４ａ，１４ｂにより襠が形成されている。第２空気袋１６Ｃの具体的な材質も、上記実施例１と同様であるが、本実施例の特徴的構造として、第２空気袋１６Ｃの手首部側の形状を、凹凸形状１８としたことが挙げられる。
【００３９】
このように、凹凸形状１８を採用することにより、図８に示すように、第１空気袋１４Ｃ、および第２空気袋１６Ｃに空気を供給した場合、第２空気袋１６Ｃの手首部側において実施例１よりも高い伸縮性を得ることが可能になり、第２空気袋１６Ｃの膨張時における腱または骨等への回り込みを、確実に実現させることが可能になる。また、膨張時における第２空気袋１６Ｃの大きさが上記実施例１の場合と同じで良い場合には、収縮時における第２空気袋１６Ｃの大きさは、実施例１の場合よりも小さくなり、空気袋の小型化を図ることも可能になる。
【００４０】
図９、および図１０に、第２空気袋１６Ｃの手首部１側の凹凸形状１８の具体的な形状の展開斜視図を示す。図９は第１の凹凸形状１８Ａを示し、（ａ）は全体斜視図、（ｂ）は（ａ）中Ｘ−Ｘ線矢視断面図、（ｃ）は膨張時の断面図である。また、図１０は第２空気袋１６Ｃの手首部１側の第２の凹凸形状１８Ｂを示す全体斜視図である。
【００４１】
図９（ａ）に示す凹凸形状１８Ａは、長手方向に向かって波状に凸部１８ａと凹部１８ｂとが交互に設けられ（図９（ｂ）の断面図参照）、膨張した状態においては、図９（ｃ）に示すように、凸部１８ａ、および凹部１８ｂに該当する部分がすべて外面となり、大きく膨張させることが可能となる。なお、凸部１８ａの長さは約３０ｍｍ、幅は約７．５ｍｍ、高さは約２ｍｍである。
【００４２】
一方、図１０に示す凹凸形状１８Ｂは、ブロック状の凸部１８ａが、マトリクス状に配置され、凸部１８ａの間に格子状に凹部１８ｂが設けられている。１つの凸部１８ａの大きさは、約７．５ｍｍ×７．５ｍｍの大きさを有し、高さは約２ｍｍである。この凹凸形状１８Ｂの場合においても、凹凸形状１８Ａと同様に膨張時には凸部１８ａ、および凹部１８ｂに該当する部分がすべて外面となり、大きく膨張させることが可能となる。
【００４３】
なお、上記実施例１、および２においては、手首部１の橈骨動脈５、および尺骨動脈７の両方を圧迫することが可能なように、第１空気袋１４Ａ，１４Ｂ，１４Ｃ、および第２空気袋１６Ａ，１６Ｂ，１６Ｃを設けた場合について説明しているが、「第１１回日本ＭＥ学会秋季大会、手首での血圧測定における局所圧迫用カフの適応位置とサイズに関する有限要素法による解析、陸渭明氏ほか」において、橈骨茎状突起付近のみを圧迫する方法が提案されている。しかし、この文献には、第１空気袋と第２空気袋とを設ける技術は、開示も示唆もされていない。
【００４４】
したがって、上記各実施例に示す構造においても、橈骨茎状突起付近のみを圧迫する構造に適用することも可能である。図１１は、手首式血圧計用カフ１０を橈骨茎状突起付近のみを圧迫する構造としたものである。この場合においても、第１空気袋１４Ａの膨張により、手首部１側への所定の圧力が確保され、また手首部１に密着した状態で第２空気袋１６Ａが膨張し、第２空気袋１６Ａが腱または骨等に柔軟に回り込むことにより、橈骨２と長掌屈腱４ｂとの間に第２空気袋１６Ａが潜り込むことが可能になり、橈骨動脈５を充分圧迫することが可能になる。
【００４５】
（実施の形態２）
上述したように、第１空気袋と第２空気袋とを用いた手首式血圧計用カフにおいては、以下に示すような問題が生じる虞がある。この点について、図１２および図１３を参照して説明する。なお、図１２および図１３は、手首式血圧計用カフを手首周方向（図２０のＸ１方向）に装着した場合の、手首軸方向（図２０のＹ１方向）に沿った断面を示している。
【００４６】
たとえば、図１２の模式図に示すように、第２空気袋１６Ａが第１空気袋１４Ａよりも柔軟な部材で形成されている結果、第２空気袋１６Ａの側部領域が第１空気袋１４Ａからの圧力が少ない横方向（図中矢印方向）に向けて、逃げるように膨らむことが考えられる。
【００４７】
横方向への第２空気袋１６Ａの膨らみ方は、図１２に示すように、第１空気袋１４Ａの両側から第２空気袋１６Ａが両側に向かってはみ出る場合よりも、多くの場合は図１３に示すように、第１空気袋１４Ａの加圧のバランスが偏り、第２空気袋１６Ａが片方側にはみ出すとともに、第１空気袋１４Ａが第２空気袋１６Ａとは反対側に向けてはみ出す。その結果、第１空気袋１４Ａからの加圧力が第２空気袋１６Ａを介して充分に生体表面に伝わらず、手首部全体および橈骨動脈５等を充分に圧迫できない状態が生じると考えられる。特に、手のひらを手前あるいは奥に移動させて、手首部の角度を変化させた場合には、第２空気袋１６Ａのはみ出しが顕著に現れる。
【００４８】
そこで、本実施の形態２においては、このような問題が生じないように、第１空気袋１４Ａおよび第２空気袋１６Ａの形状に改良を施している。この第１空気袋１４Ａおよび第２空気袋１６Ａの形状について、以下、図１４から図２０を参照して説明する。なお、図１４から図１９も、図１２および図１３と同様、手首式血圧計用カフを手首部周方向に装着した場合の、手首部軸方向に沿った断面を示している。また、図２０は、手首部側から見上げた第１空気袋１４Ａおよび第２空気袋１６Ａの形状を示す平面図である。
【００４９】
まず、図１４に示す構造においては、第２空気袋１６Ｃの幅（Ｌ２）の幅が、第１空気袋１４Ｂの幅（Ｌ１）よりも小さくなるように設けられている。また、好ましい形態として、第２空気袋１６Ｃの取付位置が第１空気袋１４Ｂの中央位置となるように、第２空気袋１６Ｃの両側における第１空気袋１４Ｂの露出寸法（Ｌ３）が、等しくなるように設けられている。
【００５０】
この構成を採用することにより、図１５に模式図に示すように、第１空気袋１４Ｂおよび第２空気袋１６Ｃに加圧空気が導入された場合でも、第１空気袋１４Ｂの両端部分（図中Ｘで囲む領域）において、第２空気袋１６Ｃの両側部を覆うように膨張するため、第２空気袋１６Ｃの側方へのはみ出しを、制限することが可能になる。その結果、第２空気袋１６Ｃを生体側である手首部１側に向けて膨張させることができ、第１空気袋１４Ｂからの加圧力を、第２空気袋１６Ｃを介して、充分に手首部１に伝えることが可能になる。
【００５１】
また、他の好ましい形態として、図１６に示すものが挙げられる。図１６に示す第１空気袋１４Ｄは、第２空気袋１６Ｃの側部の位置に、側部空気袋１４ｇを設けるようにしたものである。この側部空気袋１４ｇは、第１空気袋１４Ｄと内部空間が一体の空気袋を構成するように設けられ、第１空気袋１４Ｄに空気が導入されると同じに、側部空気袋１４ｇも膨張する。したがって、側部空気袋１４ｇは、第１空気袋１４Ｄと同一の材料から形成される。
【００５２】
このように、第２空気袋１６Ｃからはみだす第１空気袋１４Ｄにおいて、第２空気袋１６Ｃの側部の位置に、第２空気袋１６Ｃの側方へのはみ出しを積極的に制限する、はみ出し防止側壁を設けることで、図１７に示すように、第２空気袋１６Ｃの側方へのはみ出しを確実に制限することが可能になる。その結果、第２空気袋１６Ｃを生体側に向けて膨張させることができ、第１空気袋１４Ｂからの加圧力を、第２空気袋１６Ｃを介して、充分に生体に伝えることが可能になる。また、側部空気袋１４ｇの膨張によっても生体への加圧力が伝達されることから、充分広い領域での圧迫が可能となる。
【００５３】
なお、第２空気袋１６Ｃの側部に、第２空気袋１６Ｃの側方へのはみ出しを積極的に制限する、はみ出し防止側壁を設ける構造については、上記側部空気袋１４ｇの他に、図１８に示すように、第１空気袋１４Ｂおよび第２空気袋１６Ｃから独立した第３空気袋１４Ｅを第２空気袋１６Ｃの両側部に配置するように設け、第１空気袋１４Ｂおよび第２空気袋１６Ｃに空気を導入する空気導入チューブ１７により、空気導入管１４ｆを通じて第３空気袋１４Ｅ内に空気を導入する構成を採用することができる。なお、第３空気袋１４Ｅの材質としては、第1空気袋１４Ｄと同一材料などの第２空気袋１６Ｃよりも硬質に材料が好ましい。
【００５４】
また、さらに他の形態としては、図１９に示すように、あらかじめ第２空気袋１６Ｃの両側部に、ウレタンその他の比較的所定の形状を維持しながら生体への接触対して影響を与えない部材からなる、補助側壁１４Ｆを設けておくことによっても、図１６に示す側部空気袋１４ｇ、および、図１８に示す第３空気袋１４Ｅと同様の作用効果を得ることができる。
【００５５】
なお、上述した実施の形態２に示す構成において、典型的には図２０に示すように、手首部軸方向（Ｙ１）および手首部周方向（Ｘ１）において、それぞれの軸方向において、第２空気袋１６Ｃの幅が第１空気袋１４Ｂの幅よりも小さくなるように設けられる。
【００５６】
また、他の形態として、手首部周方向に沿った方向における側部側での加圧力減少は、手首部軸方向の側部側でのはみ出しによる加圧力減少に比べると小さいものであるため、図２１から図２３に示すように、手首部周方向（Ｘ１）における側部側においては、第２空気袋１６Ｃが、第１空気袋１４Ｂ，１４Ｄよりもはみ出している構造を採用することも可能である。なお、図２３に示す構造は、手首部周方向（Ｘ１）の長さを短くし、局所的に手首部を圧迫させる場合の構造であるが、このような場合であっても、手首部の移動による第２空気袋１６のはみ出しが考えられるため、少なくとも、第２空気袋１６Ｃが、第１空気袋１４Ｂ，１４Ｄよりもはみ出している構造が重要となる。
【００５７】
また、手首部周方向（Ｘ１）において、第２空気袋１６Ｃを第１空気袋１４Ｂ，１４Ｄよりもはみ出すように設けることで、図２４に示すように、第２空気袋１６Ｃの端部を直接固定具であるベルト１１に固定することが可能になることから、第２空気袋１６Ｃと第１空気袋１４Ｂ，１４Ｄと間の接合が不要になり、生産性の向上、メンテナンスの向上を図ることが可能になる。
【００５８】
また、図２５に示すように、第２空気袋１６Ｃの両端部を第１空気袋１４Ｂの端部に回り込むように設けることで、第２空気袋１６Ｃに第１空気袋１４Ｂを固定することも可能になる。
【００５９】
さらに、図２６に示すように、Ｒ２で囲まれる領域は、第２空気袋１６Ｃが第１空気袋１４Ｂ，１４Ｄからはみ出していない構造であるが、この構造に空気導入チューブ１７を接続させた場合（特に、第１空気袋１４Ｂ，１４Ｄと、第２空気袋１６Ｃとの袋の幅（Ｙ１方向）が小さい場合）、第１空気袋１４Ｂ，１４Ｄの膨らみが第１空気袋１４Ｂ，１４Ｄと第２空気袋１６Ｃの差の部分の空気導入チューブ１７により阻害される問題が生じるが、Ｒ１で囲まれる領域に示すように、第２空気袋１６Ｃが第１空気袋１４Ｂ，１４Ｄからはみ出す構造において、空気導入チューブ１７を接続させた場合には、第１空気袋１４Ｂ，１４Ｄの膨らみが空気導入チューブ１７により阻害されることがない、という利点を得ることが可能になる。なお、図２６においては、便宜上領域Ｒ１とＲ２とに示す構造を同一図面上に示しているが、領域Ｒ１とＲ２とに示す構造を共に備えるものを開示しているのではない。
【００６０】
なお、上記実施の形態２に示した構造に、図９および図１０に示す凹凸形状の空気袋構造を採用することも可能である。
【００６１】
また、上記各実施の形態においては、流体として空気を用いた場合について説明しているが、空気に限定されるものでなく、他の同様の性質を有する気体（酸素、二酸化炭素、ヘリウム等を用いることも可能である。また、気体に限らず水その他の液体を用いることも可能である。なお、液体を用いる場合には、流体経路に機密構造を採用して、液体漏れが生じないようにする必要がある。
【００６２】
したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【００６３】
【発明の効果】
この発明に基いた手首式血圧計用カフによれば、手首部の腱や骨の存在に関係なく、第１膨張袋からの圧力が、第２膨張袋が接する手首部に加わることになるため、手首部の動脈を充分圧迫することが可能になる。その結果、動脈の圧迫力不足が解消され、手首式血圧計においても、精度良く血圧を測定することが可能になる。
【図面の簡単な説明】
【図１】  この発明に基いた実施の形態における手首式血圧計用カフ１０の手首部への装着前の長手方向に沿った断面構造の概略を示す図である。
【図２】  手首部１へ手首式血圧計用カフ１０を装着した状態を示す断面図である。
【図３】  手首式血圧計用カフ１０により手首部１を圧迫している状態を示す断面図である。
【図４】  手首式血圧計用カフ１０を用いた手首部の圧迫原理を示す模式図である。
【図５】  実施例１における第１空気袋１４Ｂ、および第２空気袋１６Ｂの収縮時の構造を示す断面図である。
【図６】  実施例１における第１空気袋１４Ｂ、および第２空気袋１６Ｂの膨張時の構造を示す断面図である。
【図７】  実施例２における第１空気袋１４Ｃ、および第２空気袋１６Ｃの収縮時の構造を示す断面図である。
【図８】  実施例２における第１空気袋１４Ｃ、および第２空気袋１６Ｃの膨張時の構造を示す断面図である。
【図９】  第２空気袋１６Ｃの手首部１側の第１の凹凸形状を示す（ａ）全体斜視図、（ｂ）Ｘ−Ｘ線矢視断面図、および（ｃ）膨張時の断面図である。
【図１０】  第２空気袋１６Ｃの手首部１側の第２の凹凸形状を示す全体斜視図である。
【図１１】  手首式血圧計用カフ１０を橈骨茎状突起付近のみを圧迫する構造に適用した場合の断面図である。
【図１２】  上記実施の形態１における手首式血圧計用カフ１０の問題を示す第１の断面図である。
【図１３】  上記実施の形態１における手首式血圧計用カフ１０の問題を示す第２の断面図である。
【図１４】  実施の形態２における手首式血圧計用カフの構造を示す断面図である。
【図１５】  実施の形態２における手首式血圧計用カフの作用効果を示す第１断面図である。
【図１６】  実施の形態２における手首式血圧計用カフの他の構造を示す断面図である。
【図１７】  実施の形態２における手首式血圧計用カフの作用効果を示す第２断面図である。
【図１８】  実施の形態２における手首式血圧計用カフのさらに他の構造を示す断面図である。
【図１９】  実施の形態２における手首式血圧計用カフのさらに他の構造を示す断面図である。
【図２０】  第１空気袋１４Ｂ，Ｄと第２空気袋１６Ｃとの典型的な配置関係を示す図である。
【図２１】  第１空気袋１４Ｂ，Ｄと第２空気袋１６Ｃとの他の配置関係を示す第１の図である。
【図２２】  第１空気袋１４Ｂ，Ｄと第２空気袋１６Ｃとの他の配置関係を示す第２の図である。
【図２３】  第１空気袋１４Ｂ，Ｄと第２空気袋１６Ｃとの他の配置関係を示す第３の図である。
【図２４】  第１空気袋１４Ｂ，Ｄと第２空気袋１６Ｃとの他の配置関係における効果を示す第１断面図である。
【図２５】  第１空気袋１４Ｂ，Ｄと第２空気袋１６Ｃとの他の配置関係における効果を示す第２断面図である。
【図２６】  第１空気袋１４Ｂ，Ｄと第２空気袋１６Ｃとの他の配置関係における効果を示す第３断面図である。
【図２７】  従来の手首式血圧計１００の構造を示す全体斜視図である。
【図２８】  従来の手首式血圧計１００の内部構成を示すブロック図である。
【図２９】  手首式血圧計用カフ１０２の手首部への装着前の長手方向に沿った断面構造図である。
【図３０】  手首部１へ手首式血圧計用カフ１０２を装着した状態を示す収縮時の断面図である。
【図３１】  手首部１へ手首式血圧計用カフ１０２を装着した状態を示す膨張時の断面図である。
【図３２】  手首式血圧計用カフを用いた手首部の圧迫の理想状態の模式図である。
【図３３】  手首式血圧計用カフを用いた手首部の圧迫の問題点を示すための模式図である。
【符号の説明】
１  手首部、２  橈骨、３  尺骨、４ａ  深指屈腱、４ｂ  長掌屈腱、５  橈骨動脈、６ａ  浅指屈腱、６ｂ  尺骨側手根腱、７  尺骨動脈、１０  手首式血圧計用カフ、１４Ａ，１４Ｂ，１４Ｃ，１４Ｄ  第１空気袋、１４ｇ  側部空気袋、１４Ｅ  第３空気袋、１４Ｆ  補助側壁、１６Ａ，１６Ｂ，１６Ｃ  第２空気袋、１８，１８Ａ，１８Ｂ  凹凸形状、１８ａ  凸部、１８ｂ  凹部、１４ａ，１４ｂ  側壁、１４ｃ，１４ｆ，１６ｃ  空気導入管、１７  空気導入チューブ、１００  手首式血圧計、１０１  本体部、１０３  表示器、１０４  測定開始スイッチ、１０５  加圧センサ、１０６  加圧ポンプ、１０７  排気弁、１０８  ＣＰＵ。
【図１】
0003922087.tif 000002
【図２】
0003922087.tif 000003
【図３】
0003922087.tif 000004
【図４】
0003922087.tif 000005
【図５】
0003922087.tif 000006
【図６】
0003922087.tif 000007
【図７】
0003922087.tif 000008
【図８】
0003922087.tif 000009
【図９】
0003922087.tif 000010
【図１０】
0003922087.tif 000011
【図１１】
0003922087.tif 000012
【図１２】
0003922087.tif 000013
【図１３】
0003922087.tif 000014
【図１４】
0003922087.tif 000015
【図１５】
0003922087.tif 000016
【図１６】
0003922087.tif 000017
【図１７】
0003922087.tif 000018
【図１８】
0003922087.tif 000019
【図１９】
0003922087.tif 000020
【図２０】
0003922087.tif 000021
【図２１】
0003922087.tif 000022
【図２２】
0003922087.tif 000023
【図２３】
0003922087.tif 000024
【図２４】
0003922087.tif 000025
【図２５】
0003922087.tif 000026
【図２６】
0003922087.tif 000027
【図２７】
0003922087.tif 000028
【図２８】
0003922087.tif 000029
【図２９】
0003922087.tif 000030
【図３０】
0003922087.tif 000031
【図３１】
0003922087.tif 000032
【図３２】
0003922087.tif 000033
【図３３】
0003922087.tif 000034